(57)【要約】【課題】複写する際のスループットを向上できる複写装置及び複写方法を提供する。【解決手段】複写装置は、シート状の複数の原稿をフェイスダウンで積載可能な積載部２２と、原稿の画像を読取可能な読取部２９と、積載部に積載された複数の原稿のうち最上位の原稿から順に読取部に向けて供給する供給部３３と、原稿を複写するべく、読取部により読み取った原稿の画像をシート状の媒体に記録する記録部と、記録部により最後に記録された面が上を向く姿勢で媒体を排出する排出部と、を備え、原稿の片面を複写する場合、読取部は、原稿の両面のうち原稿が積載部に積載された状態において下を向く面の画像を読取可能に構成される。【選択図】図２
2019029821.tif 000002
【特許請求の範囲】
【請求項１】
シート状の複数の原稿をフェイスダウンで積載可能な積載部と、
前記原稿の画像を読取可能な読取部と、
前記積載部に積載された複数の前記原稿のうち最上位の前記原稿から順に前記読取部に向けて供給する供給部と、
前記原稿を複写するべく、前記読取部により読み取った前記原稿の画像をシート状の媒体に記録する記録部と、
前記記録部により最後に記録された面が上を向く姿勢で前記媒体を排出する排出部と、を備え、
前記原稿の片面を複写する場合、前記読取部は、前記原稿の両面のうち前記原稿が前記積載部に積載された状態において下を向く面の画像を読取可能に構成されることを特徴とする複写装置。
【請求項２】
前記読取部は、前記原稿の両面のうち前記原稿が前記積載部に積載された状態において下を向く面の画像を読取可能な第１センサーと、上を向く面の画像を読取可能な第２センサーと、を有することを特徴とする請求項１に記載の複写装置。
【請求項３】
前記読取部が一の前記原稿における画像を読み取る最中に、当該原稿を複写するべくその画像の前記媒体への記録を開始することを特徴とする請求項１又は請求項２に記載の複写装置。
【請求項４】
前記記録部により前記媒体の両面に記録するべく前記媒体が搬送される両面記録経路を備えることを特徴とする請求項１乃至請求項３のうち何れか一項に記載の複写装置。
【請求項５】
前記原稿の両面を複写する場合、
前記読取部は、前記原稿の両面の画像を読み取り、
前記記録部は、前記媒体に対し、前記読取部が読み取った前記原稿の両面のうち前記原稿が前記積載部に積載された状態において上を向く面の画像を記録した後に、当該原稿の両面のうち前記原稿が前記積載部に積載された状態において下を向く面の画像を記録することを特徴とする請求項１乃至請求項４のうち何れか一項に記載の複写装置。
【請求項６】
前記読取部は、読み取った前記原稿の画像を前記記録部が前記媒体に記録することに並行して、次の前記原稿の画像を読み取ることを特徴とする請求項１乃至請求項５のうち何れか一項に記載の複写装置。
【請求項７】
積載部にフェイスダウンで積載されたシート状の複数の原稿のうち最上位の前記原稿から順に読取部に向けて供給部により供給することと、
前記原稿の片面を複写する場合、前記供給部により供給された前記原稿の両面のうち前記原稿が前記積載部に積載された状態において下を向く面の画像を前記読取部により読み取ることと、
前記原稿を複写するべく、前記読取部により読み取った前記原稿の画像を記録部によりシート状の媒体に記録することと、
前記記録部により最後に記録された面が上を向く姿勢で前記媒体を排出部により排出することと、を備えることを特徴とする複写方法。
【請求項８】
前記原稿の両面を複写する場合、
前記読取部により、前記原稿の両面の画像を読み取ることと、
前記記録部により、前記媒体に対し、前記読取部が読み取った前記原稿の両面のうち前記原稿が前記積載部に積載された状態において上を向く面の画像を記録した後に、当該原稿の両面のうち前記原稿が前記積載部に積載された状態において下を向く面の画像を記録することと、を備えることを特徴とする請求項７に記載の複写方法。
【発明の詳細な説明】
【技術分野】
【０００１】
本発明は、例えばプリンターなどの複写装置及び複写方法に関する。
【背景技術】
【０００２】
原稿の画像を読取可能な読取部と、媒体に画像を記録可能な記録部とを備える複写装置がある。特許文献１には、原稿トレイに積載された原稿の画像を順次読み取り、読み取った原稿の画像を媒体に順次記録することによって、その原稿を複写する複写装置が記載されている。
【０００３】
複写装置は、通常、原稿トレイに積載される原稿に対して、その最上位に位置する原稿から順に画像を読み取るように構成されている。すなわち、読取部は、積載された原稿においてその１ページ目となる原稿から順に画像を読み取る。また、複写装置は、通常、記録部により記録された面が上を向く姿勢、所謂フェイスアップとなる姿勢で媒体を排出する。
【先行技術文献】
【特許文献】
【０００４】
【特許文献１】特開平１１−２４６０６０号公報
【発明の概要】
【発明が解決しようとする課題】
【０００５】
複写装置においては、原稿が複写された媒体を原稿のページ順と一致するように排出することが好ましい。上述した複写装置において、原稿のページ順と一致するように媒体を排出するためには、原稿において最終のページとなる原稿の画像から順に媒体に記録する必要がある。そのため、こうした複写装置においては、原稿を複写する際、原稿トレイに積載された全原稿の画像をすべて読み取ってから媒体への記録を開始することになり、そのスループットにおいて難がある。
【０００６】
本発明の目的は、複写する際のスループットを向上できる複写装置及び複写方法を提供することにある。
【課題を解決するための手段】
【０００７】
以下、上記課題を解決するための手段及びその作用効果について記載する。
上記課題を解決する複写装置は、シート状の複数の原稿をフェイスダウンで積載可能な積載部と、前記原稿の画像を読取可能な読取部と、前記積載部に積載された複数の前記原稿のうち最上位の前記原稿から順に前記読取部に向けて供給する供給部と、前記原稿を複写するべく、前記読取部により読み取った前記原稿の画像をシート状の媒体に記録する記録部と、前記記録部により最後に記録された面が上を向く姿勢で前記媒体を排出する排出部と、を備え、前記原稿の片面を複写する場合、前記読取部は、前記原稿の両面のうち前記原稿が前記積載部に積載された状態において下を向く面の画像を読取可能に構成される。
【０００８】
読取部は、原稿の両面のうち少なくとも原稿が積載部に積載されている状態において下を向く面の画像を読取可能とされている。そのため、例えば、原稿の片面だけを複写する場合、原稿は、その複写する側の面が下を向く姿勢、所謂フェイスダウンとなる姿勢で積載部に積載される。このとき、積載部に積載される原稿は、最上位の原稿が最終のページとなり、最下位の原稿が最初のページとなる。供給部は、積載部に積載された原稿を最上位の原稿から順に読取部に向けて供給する。そのため、読取部は、積載部に積載された原稿のうち最終のページとなる原稿の画像から順に読み取る。
【０００９】
原稿を複写するべく、記録部は、読取部が読み取った原稿の画像を媒体に記録する。原稿が複写された媒体は、記録部により最後に記録された面が上を向く姿勢、所謂フェイスアップとなる姿勢で排出される。原稿が複写された媒体を原稿のページ順と一致するように排出するために、原稿において最終となるページから順に媒体に複写することが好ましい。
【００１０】
上記構成によれば、読取部が読み取る原稿の画像の順に記録部がその画像を媒体に記録することによって、原稿を複写された媒体が原稿のページ順と一致するように排出される。すなわち、原稿に対する画像の読取と媒体に対する画像の記録とを並行して実行することができる。したがって、複写する際のスループットを向上できる。
【００１１】
上記複写装置において、前記読取部は、前記原稿の両面のうち前記原稿が前記積載部に積載された状態において下を向く面の画像を読取可能な第１センサーと、上を向く面の画像を読取可能な第２センサーと、を有することが好ましい。
【００１２】
この構成によれば、第１センサー及び第２センサーにより、原稿の両面の画像を並行して読み取ることができる。すなわち、読取部による原稿の画像の読取速度を向上できる。
上記複写装置においては、前記読取部が一の前記原稿における画像を読み取る最中に、当該原稿を複写するべくその画像の前記媒体への記録を開始することが好ましい。
【００１３】
この構成によれば、一の原稿における画像を読み取り終わる前に、その原稿を複写するべく原稿において読取済みとなる画像の一部から媒体へ記録するようにその画像の記録を開始するため、複写する際のスループットを向上できる。
【００１４】
上記複写装置においては、前記記録部により前記媒体の両面に記録するべく前記媒体が搬送される両面記録経路を備えることが好ましい。
この構成によれば、原稿を媒体の両面に複写することができる。
【００１５】
上記複写装置においては、前記原稿の両面を複写する場合、前記読取部は、前記原稿の両面の画像を読み取り、前記記録部は、前記媒体に対し、前記読取部が読み取った前記原稿の両面のうち前記原稿が前記積載部に積載された状態において上を向く面の画像を記録した後に、当該原稿の両面のうち前記原稿が前記積載部に積載された状態において下を向く面の画像を記録することが好ましい。
【００１６】
原稿は、フェイスダウンとなる姿勢で積載部に積載される。すなわち、原稿は、原稿において後のページとなる面が上を向き、原稿において先のページとなる面が下を向く姿勢で積載部に積載される。そのため、記録部は、媒体に対し、原稿において後のページとなる面の画像を記録した後に、原稿において先のページとなる面の画像を記録する。記録部は、原稿のページ順と一致するように、原稿を媒体に複写する。上記構成によれば、原稿が複写された媒体を原稿のページ順と一致するように排出できる。
【００１７】
上記複写装置において、前記読取部は、読み取った前記原稿の画像を前記記録部が前記媒体に記録することに並行して、次の前記原稿の画像を読み取ることが好ましい。
この構成によれば、原稿に対する画像の読取と媒体に対する画像の記録とを並行して実行するため、複写する際のスループットを向上できる。
【００１８】
上記課題を解決する複写方法は、積載部にフェイスダウンで積載されたシート状の複数の原稿のうち最上位の前記原稿から順に読取部に向けて供給部により供給することと、前記原稿の片面を複写する場合、前記供給部により供給された前記原稿の両面のうち前記原稿が前記積載部に積載された状態において下を向く面の画像を前記読取部により読み取ることと、前記原稿を複写するべく、前記読取部により読み取った前記原稿の画像を記録部によりシート状の媒体に記録することと、前記記録部により最後に記録された面が上を向く姿勢で前記媒体を排出部により排出することと、を備える。
【００１９】
この方法によれば、上述した複写装置と同様の効果を得ることができる。
上記複写方法においては、前記原稿の両面を複写する場合、前記読取部により、前記原稿の両面の画像を読み取ることと、前記記録部により、前記媒体に対し、前記読取部が読み取った前記原稿の両面のうち前記原稿が前記積載部に積載された状態において上を向く面の画像を記録した後に、当該原稿の両面のうち前記原稿が前記積載部に積載された状態において下を向く面の画像を記録することと、を備えることが好ましい。
【００２０】
この方法によれば、上述した複写装置と同様の効果を得ることができる。
【図面の簡単な説明】
【００２１】
【図１】複写装置の一実施形態を示す正面図。
【図２】読取ユニットの断面図。
【図３】複写装置の斜視図。
【図４】複写装置の断面図。
【発明を実施するための形態】
【００２２】
以下、複写装置の一実施形態について図を参照しながら説明する。
図１に示すように、複写装置１１は、記録ユニット１２と、読取ユニット１３とを備えている。記録ユニット１２及び読取ユニット１３は、上下で互いに重なるように設けられている。読取ユニット１３は、記録ユニット１２の上方に位置している。記録ユニット１２は、シート状の媒体Ｓに文字、写真等の画像を記録可能とされている。読取ユニット１３は、シート状の原稿（図３参照）Ｐに記録されている文字、写真等の画像を読取可能とされている。本実施形態において、媒体Ｓ及び原稿Ｐは、何れも長方形状の用紙である。
【００２３】
記録ユニット１２は、複写装置１１を操作するための操作パネル１４と、記録された媒体Ｓが排出される排出トレイ１５と、媒体Ｓを積層状態で収容可能な媒体カセット１６とを有している。記録ユニット１２において、その上方から下方に向けて順に、操作パネル１４、排出トレイ１５、媒体カセット１６が並んで設けられている。
【００２４】
操作パネル１４は、記録ユニット１２の正面となるその前面の一部を構成している。操作パネル１４は、モニター、ボタン等を有している。記録ユニット１２の前面は、複写装置１１の幅方向及び上下方向に広がりを有する面である。本実施形態において、図１における右側を複写装置１１の幅方向における第１端側、図１における左側を複写装置１１の幅方向における第２端側と呼称する。
【００２５】
排出トレイ１５は、記録ユニット１２の前面に開口する排出口１７から前方に延びている。排出口１７は、矩形状に開口し、操作パネル１４の下方に位置している。排出口１７は、複写装置１１の幅方向において、操作パネル１４と略同一の幅とされている。
【００２６】
媒体カセット１６は、記録ユニット１２に対して、記録ユニット１２の前面から着脱可能とされている。媒体カセット１６は、記録ユニット１２に対して着脱する際に、ユーザーが手を掛けるための取っ手１８が形成された操作板１９を有している。操作板１９は、媒体カセット１６が記録ユニット１２に装着された状態において、記録ユニット１２の前面の一部を構成する。
【００２７】
読取ユニット１３は、本体部２１と、積載部２２と、載置部２３とを備えている。本体部２１は、読取ユニット１３において、複写装置１１の幅方向における第２端側に配置されている。積載部２２は、原稿Ｐを積載可能とされている。載置部２３は、原稿Ｐを載置可能とされている。積載部２２及び載置部２３は、複写装置１１の幅方向に延びるように設けられている。積載部２２及び載置部２３は、本体部２１から複写装置１１の幅方向における第１端側に向けて延びている。
【００２８】
積載部２２及び載置部２３は、上下で互いに重なるように位置している。積載部２２は、載置部２３の上方に位置している。積載部２２には、読取前の原稿Ｐが積載される。載置部２３には、読取後の原稿Ｐが載置される。読取ユニット１３は、積載部２２に積載される原稿Ｐの画像を読取可能とされている。
【００２９】
読取ユニット１３について説明する。
図２に示すように、読取ユニット１３は、原稿カバー２４と原稿台２５とを備えている。原稿カバー２４は、本体部２１と、積載部２２と、載置部２３とを含んで構成されている。原稿カバー２４及び原稿台２５は、上下で互いに重なるように配置されている。原稿カバー２４は、原稿台２５の上方に位置している。原稿カバー２４と対向する原稿台２５の上部は、例えばガラスなどで構成される板状の透明部材２６で構成されている。
【００３０】
原稿カバー２４は、複写装置１１の前面側とは反対側となる背面側の端部側に配置された軸を回動軸として、原稿台２５に対して開閉可能とされている。原稿カバー２４が原稿台２５に対して開くと、原稿台２５の透明部材２６が露出される。読取ユニット１３は、原稿カバー２４と原稿台２５との間にセットされる原稿Ｐの画像を読取可能とされている。すなわち、読取ユニット１３は、積載部２２に積載される原稿Ｐの他に、原稿台２５の透明部材２６上にセットされる原稿Ｐの画像を読取可能とされている。
【００３１】
読取ユニット１３は、積載部２２に積載される原稿Ｐが搬送される搬送経路２７と、搬送経路２７に沿って原稿Ｐを搬送する複数のローラー２８とを備えている。読取ユニット１３は、搬送経路２７を搬送される原稿Ｐの画像を読取可能な読取部２９を備えている。搬送経路２７及びローラー２８は、本体部２１に設けられている。
【００３２】
本体部２１は、積載部２２に積載されている原稿Ｐが本体部２１内へ供給されるための供給口３１を有している。積載部２２は、供給口３１から第１端側へ延びるように設けられている。積載部２２は、複写装置１１の幅方向において、第２端側から第１端側に向けて徐々に上昇するように傾斜している。
【００３３】
本体部２１は、本体部２１内において読み取られた原稿Ｐが本体部２１内から載置部２３に排出されるための排出口３２を有している。載置部２３は、排出口３２から第１端側へ延びるように設けられている。載置部２３は、複写装置１１の幅方向において、第２端側から第１端側に向けて上昇するように傾斜している。供給口３１及び排出口３２は、上下で互いに重なるように位置している。
【００３４】
搬送経路２７は、本体部２１において、供給口３１から排出口３２に向けてＵ字状に湾曲するように延びている。そのため、原稿Ｐは、積載部２２から載置部２３に向けて搬送経路２７を搬送されることによって、その姿勢が反転される。すなわち、原稿Ｐは、積載部２２に積載されている状態と載置部２３に載置されている状態とで、その姿勢が上下で反転されている。具体的には、原稿Ｐは、搬送経路２７を搬送されることによって、積載部２２に積載されている状態において上を向く面が、載置部２３に載置されている状態においては下を向くようにその姿勢が反転される。
【００３５】
原稿Ｐを搬送するローラー２８は、搬送経路２７に沿って配置されている。ローラー２８は、回転可能に構成され、回転することによって原稿Ｐを搬送する。本実施形態においては、ローラー２８として、搬送経路２７において供給口３１から排出口３２に向かって順に、ピックアップローラー３３、セパレートローラー３４、第１送りローラー３５、ガイドローラー３６、第２送りローラー３７、排出ローラー３８が配置されている。
【００３６】
ピックアップローラー３３は、搬送経路２７において供給口３１寄りとなる位置に配置されている。ピックアップローラー３３は、積載部２２に積載される原稿Ｐに対して上方から接触可能とされている。ピックアップローラー３３は、原稿Ｐに接触した状態で回転することによって、供給口３１を介してその原稿Ｐを本体部２１へ供給する。そのため、ピックアップローラー３３は、積載部２２に複数の原稿Ｐが積載される場合、その最上位に位置する原稿Ｐから順に供給する。
【００３７】
セパレートローラー３４は、ピックアップローラー３３により供給された原稿Ｐを１枚ずつに分離させて搬送する。そのため、本体部２１は、セパレートローラー３４と対向する位置に分離パッド４７を有している。セパレートローラー３４及び分離パッド４７は、搬送経路２７を挟み込むように配置されている。セパレートローラー３４は、搬送経路２７を搬送される原稿Ｐに対して上方から接触する。分離パッド４７は、搬送経路２７を搬送される原稿Ｐに対して下方から接触する。分離パッド４７は、セパレートローラー３４が原稿Ｐを搬送する際に、その摩擦力によって原稿Ｐを１枚ずつに分離させる。
【００３８】
第１送りローラー３５は、セパレートローラー３４及び分離パッド４７により分離された原稿Ｐを搬送経路２７の湾曲部分に向けて搬送する。ガイドローラー３６は、第１送りローラー３５により搬送される原稿Ｐが接触することによって回転し、搬送経路２７の湾曲部分を通過する原稿Ｐをガイドするように搬送する。第２送りローラー３７は、第１送りローラー３５により搬送される原稿Ｐを読取部２９が配置された位置を経由して排出ローラー３８に向けて搬送する。排出ローラー３８は、第２送りローラー３７により搬送される原稿Ｐを排出口３２から載置部２３に向けて排出する。
【００３９】
読取部２９は、原稿Ｐを読取可能な第１センサー４１と第２センサー４２とを有している。第１センサー４１は本体部２１に設けられ、第２センサー４２は原稿台２５に設けられている。第１センサー４１及び第２センサー４２は、搬送経路２７を搬送される原稿Ｐに対し、第２送りローラー３７と排出ローラー３８との間となる位置において原稿Ｐから画像を読取可能とされている。すなわち、第２送りローラー３７は、読取部２９に向けて原稿Ｐを搬送する。排出ローラー３８は、読取部２９により画像を読み取られた原稿Ｐを排出する。
【００４０】
本体部２１は、搬送経路２７を搬送される原稿Ｐの画像を読取部２９が読み取るべく、その原稿Ｐを第１センサー４１と対向する位置で支持するための支持板４３、第２センサー４２に向けて押さえ付けるための押さえ板４４を有している。支持板４３及び押さえ板４４は、搬送経路２７において、第２送りローラー３７と排出ローラー３８との間となる位置に配置されている。支持板４３は、搬送経路２７において、押さえ板４４よりも排出口３２寄りとなる位置に設けられている。
【００４１】
第１センサー４１は、搬送経路２７において、第２送りローラー３７と排出ローラー３８との間となる位置に配置されている。第１センサー４１は、支持板４３と対向するように配置されている。すなわち、第１センサー４１及び支持板４３は、搬送経路２７を挟み込むように配置されている。第１センサー４１は、支持板４３によって支持される原稿Ｐの画像を読み取る。
【００４２】
第１センサー４１は、本体部２１において、Ｕ字状に湾曲する搬送経路２７の内周側に配置されている。支持板４３は、本体部２１において、Ｕ字状に湾曲する搬送経路２７の外周側に配置されている。第１センサー４１は、搬送経路２７を搬送される原稿Ｐの両面のうち、その片面を読取可能とされている。第１センサー４１は、搬送経路２７の内周側から原稿Ｐの画像を読み取るため、原稿Ｐの両面のうち、原稿Ｐが積載部２２に積載された状態において下を向く面の画像を読取可能とされている。
【００４３】
第２センサー４２は、原稿台２５において、透明部材２６の直下となる領域に配置されている。第２センサー４２は、透明部材２６の直下となる領域に設けられるキャリッジ４５に搭載されている。キャリッジ４５は、原稿台２５において、複写装置１１の幅方向に移動可能とされている。すなわち、第２センサー４２は、キャリッジ４５により、原稿台２５において複写装置１１の幅方向に移動可能とされている。
【００４４】
第２センサー４２は、透明部材２６越しに原稿Ｐの画像を読取可能とされている。そのため、第２センサー４２は、キャリッジ４５により、原稿台２５において複写装置１１の幅方向に移動することによって、透明部材２６上にセットされる原稿Ｐの画像を読取可能とされている。
【００４５】
押さえ板４４は、搬送経路２７において、第２送りローラー３７と第１センサー４１との間となる位置に配置されている。押さえ板４４は、本体部２１において、Ｕ字状に湾曲する搬送経路２７の内周側に配置されている。押さえ板４４は、搬送経路２７を搬送される原稿Ｐを原稿台２５の透明部材２６に向けて押さえ付けるように設けられている。
【００４６】
第２センサー４２は、キャリッジ４５により押さえ板４４と対向する位置に移動することによって、搬送経路２７を搬送される原稿Ｐの画像を読取可能となる。第２センサー４２は、押さえ板４４に押え付けられた原稿Ｐの画像を透明部材２６越しに読み取る。すなわち、第２センサー４２は、搬送経路２７を搬送される原稿Ｐの両面のうち、その片面の画像を読取可能とされている。第２センサー４２は、Ｕ字状に湾曲する搬送経路２７の外周側から原稿Ｐを読み取るため、原稿Ｐの両面のうち、原稿Ｐが積載部２２に積載された状態において上を向く面の画像を読取可能とされている。
【００４７】
読取ユニット１３は、搬送経路２７を搬送される原稿Ｐに対し、第１センサー４１及び第２センサー４２が互いに異なる面の画像を読み取るように構成されている。そのため、読取ユニット１３は、原稿Ｐが搬送経路２７を搬送される際、原稿Ｐの両面の画像を読取可能とされている。
【００４８】
読取ユニット１３は、原稿Ｐの片面の画像だけを読み取る場合、第１センサー４１により原稿Ｐの画像を読み取るように構成されている。すなわち、読取部２９は、原稿Ｐの片面又は両面を読み取る何れの場合であっても、原稿Ｐの両面のうち少なくとも、原稿Ｐが積載部２２に積載された状態において下を向く面の画像を読み取るように構成されている。
【００４９】
読取ユニット１３が原稿Ｐの画像を読み取る際、読取部２９において少なくとも第１センサー４１が機能するため、原稿Ｐは、読み取りたい面が下を向く姿勢で積載部２２に積載される。すなわち、本実施形態の複写装置１１において、原稿Ｐは、読み取りたい面が積載部２２と対向する所謂フェイスダウンとなる姿勢で積載部２２に積載される。
【００５０】
図２及び図３に示すように、積載部２２は、本体部２１に供給される原稿Ｐをガイドするための一対のエッジガイド４６を有している。エッジガイド４６は、積載される原稿Ｐを挟み込むようにその端部に接触することによって、原稿Ｐをガイドする。一対のエッジガイド４６は、供給される原稿Ｐの幅方向において、互いに連動して移動可能とされている。すなわち、一対のエッジガイド４６は、積載部２２において、互いを近づけたり遠ざけたりすることが可能とされている。これにより、エッジガイド４６は、様々なサイズの原稿Ｐをガイド可能とされている。
【００５１】
本体部２１は、ピックアップローラー３３及びセパレートローラー３４を回転可能に保持するホルダー４８を有している。ホルダー４８は、セパレートローラー３４の回転軸と同一軸線上に延びる軸４９により本体部２１に支持されている。ホルダー４８は、軸４９を軸心として回動可能に設けられている。ホルダー４８が、軸４９を軸心に回動することによって、セパレートローラー３４はその位置が変位しない一方で、ピックアップローラー３３はその位置が変位する。
【００５２】
ピックアップローラー３３は、ホルダー４８により、積載部２２に積載される原稿Ｐに接触可能な位置と、接触しない位置との間で変位可能とされている。図２におけるピックアップローラー３３は、積載部２２に積載される原稿Ｐに接触可能な位置に位置している。このとき、ピックアップローラー３３は、積載部２２に積載される原稿Ｐに対し、供給口３１に差し込まれているその先端部分に接触する。
【００５３】
読取ユニット１３は、積載部２２に積載される原稿Ｐにピックアップローラー３３が接触することによって、積載部２２に積載される原稿Ｐを最上位から順に本体部２１へ供給可能な状態となる。読取ユニット１３は、積載部２２に積載される原稿Ｐからピックアップローラー３３が離れることによって、その先端を供給口３１に差し込んだ状態で原稿Ｐを積載部２２に積載可能な状態となる。すなわち、本実施形態において、ピックアップローラー３３は、積載部２２に積載された複数の原稿Ｐのうち最上位の原稿Ｐから順に読取部２９に向けて供給するための供給部である。
【００５４】
記録ユニット１２について説明する。
図４に示すように、記録ユニット１２は、装着された媒体カセット１６の上側となる位置に、記録部５１と媒体支持部５２とを有している。記録部５１及び媒体支持部５２は、記録ユニット１２内に配置されている。記録部５１は、例えばインクなどの液体を用いて媒体Ｓに画像を記録する。媒体支持部５２は、記録部５１と対向するように配置され、記録部５１が記録する媒体Ｓを下側から支持する。そのため、記録部５１は、媒体Ｓに対し、媒体支持部５２に支持された状態において上を向く面に画像を記録する。
【００５５】
記録ユニット１２は、装着された媒体カセット１６から記録部５１に向けて延びる媒体搬送経路５３と、媒体カセット１６に収容される媒体Ｓを媒体搬送経路５３に沿って搬送する搬送部５４とを備えている。記録ユニット１２は、記録部５１により記録された媒体Ｓを排出する排出部５５と、媒体Ｓの両面に画像を記録するための両面記録経路５６とを備えている。記録ユニット１２は、媒体Ｓを記録ユニット１２に供給するための背面側供給部５７を備えている。媒体搬送経路５３、搬送部５４、排出部５５、両面記録経路５６は、記録ユニット１２内に配置されている。背面側供給部５７は、記録ユニット１２においてその上側且つ背面側寄りとなる位置に配置されている。
【００５６】
媒体搬送経路５３は、記録ユニット１２において背面側となる媒体カセット１６の先端部分から上方に向けて延びた後、複写装置１１の前方に向けて湾曲し、記録部５１と媒体支持部５２との間となる位置にまで延びている。そのため、媒体Ｓは、媒体カセット１６から記録部５１に向けて媒体搬送経路５３を搬送されることによって、その姿勢が反転される。すなわち、媒体Ｓは、媒体カセット１６に収容されている状態と媒体支持部５２に支持されている状態とで、その姿勢が上下で反転されている。
【００５７】
媒体カセット１６は、収容する媒体Ｓを上方に押し上げるためのホッパー５８を有している。そのため、媒体カセット１６に収容される媒体Ｓは、ホッパー５８上に積層される。ホッパー５８は、板状に設けられ、例えばばね、ゴムなどで構成される押付部材５９により下方から上方に向けて押し付けられている。ホッパー５８は、押付部材５９により、複写装置１１において前面寄りとなる基端を支点として、その背面寄りとなる先端が上方に押し上げられるように構成されている。これにより、ホッパー５８は、媒体カセット１６に収容される媒体Ｓの先端を上方に押し上げる。
【００５８】
搬送部５４は、複数のローラー６１、６２、６３、６４、６５を有している。複数のローラー６１、６２、６３、６４、６５は、媒体搬送経路５３に沿うように配置されている。本実施形態においては、媒体搬送経路５３において媒体カセット１６側から記録部５１側に向けて順に、第１ローラー６１、第２ローラー６２、第３ローラー６３、第４ローラー６４、第５ローラー６５が配置されている。第１〜第５ローラー６１〜６５は、回転可能に構成され、回転することによって原稿Ｐを搬送する。
【００５９】
第１〜第４ローラー６１〜６４は、記録ユニット１２において背面寄りとなる位置に配置されている。第５ローラー６５は、記録ユニット１２において、媒体支持部５２と隣り合う位置に配置されている。
【００６０】
第１ローラー６１は、媒体カセット１６に収容される媒体Ｓを媒体カセット１６から取り出すためのローラーである。第１ローラー６１は、装着された媒体カセット１６の先端部分の直上に配置されている。第１ローラー６１は、媒体カセット１６に収容されている媒体Ｓに対して上方から接触可能とされている。
【００６１】
第１ローラー６１は、媒体カセット１６に収容される媒体Ｓがホッパー５８により押し上げられることによって、その媒体Ｓと接触する。第１ローラー６１は、ホッパー５８により媒体Ｓが押し付けられた状態で回転することによって、媒体カセット１６から媒体Ｓを取り出して搬送する。
【００６２】
第２ローラー６２及び第３ローラー６３は、第１ローラー６１により媒体カセット１６から取り出された媒体Ｓを１枚ずつに分離させて搬送するためのローラーである。第２ローラー６２及び第３ローラー６３は、複写装置１１において第１ローラー６１よりも背面寄りとなる位置に配置され、互いに対向している。第２ローラー６２及び第３ローラー６３は、媒体Ｓを挟み込んだ状態で回転することによって、媒体Ｓを１枚ずつに分離させて搬送する。
【００６３】
第２ローラー６２は、媒体Ｓに対して上方から接触する。第３ローラー６３は、媒体Ｓに対して下方から接触する。第３ローラー６３は、第２ローラー６２の回転に伴って従動回転が可能なローラーである。第３ローラー６３は、媒体Ｓに対する摩擦係数が第２ローラー６２よりも大きくなるように構成されている。第２ローラー６２及び第３ローラー６３は、この摩擦係数の差によって媒体Ｓを１枚ずつに分離させて搬送する。
【００６４】
第４ローラー６４は、第２ローラー６２の直上に配置されている。第４ローラー６４は、搬送部５４を構成するその他のローラー６１、６２、６３、６５と比較して、大径に設けられている。第４ローラー６４は、第２、第３ローラー６２、６３により搬送された媒体Ｓを媒体搬送経路５３に沿って湾曲させながら搬送する。第４ローラー６４は、背面側供給部５７から供給された媒体Ｓを媒体搬送経路５３に沿って搬送することもある。
【００６５】
第５ローラー６５は、記録ユニット１２において媒体支持部５２よりも、記録ユニット１２の背面寄りとなる位置に配置されている。第５ローラー６５は、正方向及び逆方向の双方向に回転可能とされている。第５ローラー６５は、正方向に回転することによって、第４ローラー６４により搬送された媒体Ｓを記録部５１に向けて搬送する。
【００６６】
排出部５５は、例えば、回転可能なローラーで構成されている。排出部５５は、媒体支持部５２と隣り合う位置に配置されている。排出部５５は、記録ユニット１２において媒体支持部５２よりも、記録ユニット１２の前面寄りとなる位置に配置されている。排出部５５は、回転することによって、記録部５１により画像を記録された媒体Ｓを排出トレイ１５に排出する。
【００６７】
記録ユニット１２は、媒体Ｓの両面に画像を記録することが可能とされている。そのため、記録部５１により媒体Ｓの両面に記録する場合、その一面が記録された媒体Ｓは、媒体搬送経路５３とは異なる両面記録経路５６を搬送される。両面記録経路５６は、記録ユニット１２において、第５ローラー６５から第３ローラー６３と第４ローラー６４との間を通過するように延び、媒体搬送経路５３と合流している。媒体Ｓは、その一面に画像を記録された後、第５ローラー６５が逆方向に回転することによって、両面記録経路５６を搬送される。両面記録経路５６を搬送される媒体Ｓは、媒体搬送経路５３に戻され、その姿勢が反転されながら再び記録部５１に向けて搬送される。これにより、媒体Ｓの両面に画像が記録される。
【００６８】
排出部５５は、記録部５１により記録された面が上を向く姿勢のままで媒体Ｓを排出トレイ１５に排出する。そのため、記録部５１により記録された媒体Ｓは、記録された面が上を向く姿勢で排出トレイ１５に積載される。すなわち、媒体Ｓは、排出部５５により、フェイスダウンとは反対の姿勢である所謂フェイスアップとなる姿勢で排出トレイ１５に排出される。これにより、排出口１７から順次排出される媒体Ｓは、その記録された面が上を向く姿勢で排出トレイ１５に積み重ねられる。媒体Ｓの両面に記録される場合、媒体Ｓは、記録部５１により最後に記録された面が上を向く姿勢で排出トレイ１５に排出される。
【００６９】
複写装置１１は、読取部２９が読み取った原稿Ｐの画像を記録部５１が媒体Ｓに記録することによって、原稿Ｐをコピーすること、すなわち原稿Ｐを複写することが可能とされている。複写装置１１は、原稿Ｐを複写する際、まず、供給部として機能するピックアップローラー３３により原稿Ｐを読取部２９に向けて供給する。次に、複写装置１１は、ピックアップローラー３３により供給された原稿Ｐの画像を読取部２９により読み取る。次に、複写装置１１は、原稿Ｐを複写するべく、読取部２９により読み取った原稿Ｐの画像を記録部５１により媒体Ｓに記録する。最後に、複写装置１１は、記録部５１により画像を記録した媒体Ｓを排出部５５により排出する。すなわち、この媒体Ｓが、原稿Ｐに基づいて複写された原稿となる。
【００７０】
複写装置１１は、複数枚にわたる原稿Ｐを複写する場合、読取ユニット１３による読取と、記録ユニット１２による記録とを並行して実行できる。例えば、１枚目の原稿Ｐを複写するべく記録ユニット１２が１枚目の媒体Ｓに画像を記録することに並行し、読取ユニット１３は２枚目の原稿Ｐの画像を読み取ることができる。
【００７１】
本実施形態の複写装置１１は、第１モード、第２モード、第３モード、第４モードの計４つのモードで、原稿Ｐを複写することが可能とされている。複写装置１１は、原稿Ｐを複写する際、例えば操作パネル１４を介して、第１モード、第２モード、第３モード、第４モードのうち１つのモードを選択可能とされている。複写装置１１は、ユーザーにより選択されたモードで、原稿Ｐを複写する。
【００７２】
第１モードは、積載部２２に積載される原稿Ｐの片面の画像を読み取り、媒体Ｓの片面に画像を記録することによって、原稿Ｐを複写するモードである。第２モードは、積載部２２に積載される原稿Ｐの片面の画像を読み取り、媒体Ｓの両面に画像を記録することによって、原稿Ｐを複写するモードである。第３モードは、積載部２２に積載される原稿Ｐの両面の画像を読み取り、媒体Ｓの片面に画像を記録することによって、原稿Ｐを複写するモードである。第４モードは、積載部２２に積載される原稿Ｐの両面の画像を読み取り、媒体Ｓの両面に画像を記録することによって、原稿Ｐを複写するモードである。
【００７３】
第１、第２モードで複写する場合、複写装置１１は、原稿Ｐの片面の画像を読み取るため、原稿Ｐの両面のうち、原稿Ｐが積載部２２に積載されている状態において下を向く面の画像を第１センサー４１により読み取る。
【００７４】
第３、第４モードで複写する場合、複写装置１１は、原稿Ｐの両面の画像を読み取るため、第１センサー４１及び第２センサー４２により原稿Ｐの画像を読み取る。複写装置１１は、原稿Ｐの両面のうち、原稿Ｐが積載部２２に積載されている状態において下を向く面の画像を第１センサー４１により読み取る。複写装置１１は、原稿Ｐの両面のうち、原稿Ｐが積載部２２に積載されている状態において上を向く面の画像を第２センサー４２により読み取る。
【００７５】
第２センサー４２は、搬送経路２７において第１センサー４１よりも供給口３１寄り、すなわち搬送経路２７において上流側に位置している。そのため、第２センサー４２は、搬送経路２７を搬送される原稿Ｐに対して、第１センサー４１よりも先んじて画像の読取を開始する。その後、複写装置１１は、原稿Ｐの搬送に伴い、第１センサー４１による画像の読取を開始する。第３、第４モードで複写する場合、複写装置１１は、第１センサー４１及び第２センサー４２が並行して原稿Ｐの画像を読み取る。すなわち、第３、第４モードで複写する場合、複写装置１１は、原稿Ｐの両面の画像を並行して読み取る。第１、第２、第３、第４モードの何れのモードにおいても、第１センサー４１は原稿Ｐの画像を読み取る。
【００７６】
各モードについて説明する。
第１モードで複写する場合、まず、複写装置１１は、第１センサー４１により、積載部２２に積載される複数の原稿Ｐのうち最上位に位置する１枚目の原稿Ｐの画像を読み取る。次に、複写装置１１は、第１センサー４１により読み取った１枚目の原稿Ｐの画像を１枚目の媒体Ｓに記録する。このとき、複写装置１１は、１枚目の媒体Ｓに記録することに並行して、２枚目の原稿Ｐの画像を読み取る。
【００７７】
次に、複写装置１１は、第１センサー４１により読み取った２枚目の原稿Ｐの画像を２枚目の媒体Ｓに記録する。第１モードで複写する複写装置１１は、上記の動作を繰り返すことによって、原稿Ｐを複写する。そのため、第１モードで複写する場合、原稿Ｐを複写するために要する媒体Ｓの枚数は、原稿Ｐと同じ枚数になる。
【００７８】
第２モードで複写する場合、まず、複写装置１１は、第１センサー４１により、積載部２２に積載される複数の原稿Ｐのうち最上位に位置する１枚目の原稿Ｐの画像を読み取る。次に、複写装置１１は、第１センサー４１により読み取った１枚目の原稿Ｐの画像を１枚目の媒体Ｓの一面に記録する。このとき、複写装置１１は、１枚目の媒体Ｓの一面に記録することに並行して、２枚目の原稿Ｐの画像を読み取る。
【００７９】
次に、複写装置１１は、その一面に記録した１枚目の媒体Ｓを両面記録経路５６へ搬送させ、その姿勢を反転させる。次に、複写装置１１は、第１センサー４１により読み取った２枚目の原稿Ｐの画像を、姿勢が反転された１枚目の媒体Ｓの他面に記録する。このとき、複写装置１１は、１枚目の媒体Ｓの他面に記録することに並行して、３枚目の原稿Ｐの画像を読み取る。
【００８０】
次に、複写装置１１は、第１センサー４１により読み取った３枚目の原稿Ｐの画像を２枚目の媒体Ｓの一面に記録する。第２モードで複写する複写装置１１は、上記の動作を繰り返すことによって、原稿Ｐを複写する。そのため、第２モードで複写する場合、原稿Ｐを複写するために要する媒体Ｓの枚数は、原稿Ｐの約半分の枚数となる。
【００８１】
第３モードで複写する場合、まず、複写装置１１は、第２センサー４２によって、積載部２２に積載される複数の原稿Ｐのうち最上位に位置する１枚目の原稿Ｐの一面の画像を読み取る。このとき、複写装置１１は、第２センサー４２によって１枚目の原稿Ｐの一面の画像を読み取ることに並行して、第１センサー４１によって１枚目の原稿Ｐの他面の画像を読み取る。
【００８２】
次に、複写装置１１は、第２センサー４２により読み取った１枚目の原稿Ｐの一面の画像を１枚目の媒体Ｓに記録する。このとき、複写装置１１は、１枚目の媒体Ｓに記録することに並行して、２枚目の原稿Ｐの一面及び他面の画像を読み取る。
【００８３】
次に、複写装置１１は、第１センサー４１により読み取った１枚目の原稿Ｐの他面の画像を２枚目の媒体Ｓに記録する。このとき、複写装置１１は、２枚目の媒体Ｓに記録することに並行して、３枚目の原稿Ｐの一面及び他面の画像を読み取る。
【００８４】
次に、複写装置１１は、第２センサー４２により読み取った２枚目の原稿Ｐの一面の画像を３枚目の媒体Ｓに記録する。第３モードで複写する複写装置１１は、上記の動作を繰り返すことによって、原稿Ｐを複写する。そのため、第３モードで複写する場合、原稿Ｐを複写するために要する媒体Ｓの枚数は、原稿Ｐの約２倍の枚数となる。
【００８５】
第３モードにおいては、第１、第２センサー４１、４２により原稿Ｐの両面の画像を並行して読み取るため、記録ユニット１２による媒体Ｓへの画像の記録速度に比べて読取ユニット１３による原稿Ｐの画像の読取速度の方が速い。そのため、第３モードにおいては、第１センサー４１により読み取った１枚目の原稿Ｐの他面の画像を２枚目の媒体Ｓに記録することに並行して、２枚目の原稿Ｐの一面及び他面の画像を読み取るようにしてもよい。すなわち、第１センサー４１により読み取った２枚目の原稿Ｐの他面の画像を３枚目の媒体Ｓに記録することに並行して、３枚目の原稿Ｐの一面及び他面の画像を読み取るようにしてもよい。
【００８６】
第４モードで複写する場合、まず、複写装置１１は、第２センサー４２によって、積載部２２に積載される複数の原稿Ｐのうち最上位に位置する１枚目の原稿Ｐの一面の画像を読み取る。このとき、複写装置１１は、第２センサー４２によって１枚目の原稿Ｐの一面の画像を読み取ることに並行して、第１センサー４１によって１枚目の原稿Ｐの他面の画像を読み取る。
【００８７】
次に、複写装置１１は、第２センサー４２により読み取った１枚目の原稿Ｐの一面の画像を１枚目の媒体Ｓの一面に記録する。このとき、複写装置１１は、１枚目の媒体Ｓの一面に記録することに並行して、２枚目の原稿Ｐの一面及び他面の画像を読み取る。
【００８８】
次に、複写装置１１は、１枚目の媒体Ｓを両面記録経路５６へ搬送させ、その姿勢を反転させる。次に、複写装置１１は、第１センサー４１により読み取った１枚目の原稿Ｐの他面の画像を、その姿勢が反転された１枚目の媒体Ｓの他面に記録する。このとき、複写装置１１は、１枚目の媒体Ｓの他面に記録することに並行して、３枚目の原稿Ｐの一面及び他面の画像を読み取る。
【００８９】
次に、複写装置１１は、第２センサー４２により読み取った２枚目の原稿Ｐの他面の画像を２枚目の媒体Ｓの一面に記録する。第４モードで複写する複写装置１１は、上記の動作を繰り返すことによって、原稿Ｐを複写する。そのため、第４モードで複写する場合、原稿Ｐを複写するために要する媒体Ｓの枚数は、原稿Ｐと同じ枚数となる。
【００９０】
第４モードにおいては、第１、第２センサー４１、４２により原稿Ｐの両面の画像を並行して読み取るため、記録ユニット１２による媒体Ｓへの画像の記録速度に比べて読取ユニット１３による原稿Ｐの画像の読取速度の方が速い。そのため、第４モードにおいては、第１センサー４１により読み取った１枚目の原稿Ｐの他面の画像を１枚目の媒体Ｓの他面に記録することに並行して、２枚目の原稿Ｐの一面及び他面の画像を読み取るようにしてもよい。すなわち、第１センサー４１により読み取った２枚目の原稿Ｐの他面の画像を２枚目の媒体Ｓの他面に記録することに並行して、３枚目の原稿Ｐの一面及び他面の画像を読み取るようにしてもよい。
【００９１】
まとめると、複写装置１１は、複数枚にわたる原稿Ｐを複写する場合、第１、第２、第３、第４モードにおいて、読み取った順通りに原稿Ｐの画像を媒体Ｓに記録することによって原稿Ｐを複写する。例えば、第１モードにおいて、複写装置１１が読み取る１枚目の原稿Ｐに画像Ａ、２枚目の原稿Ｐに画像Ｂ、３枚目の原稿Ｐに画像Ｃが記録されているとする。この場合、複写装置１１は、１枚目の媒体Ｓに画像Ａを記録し、２枚目の媒体Ｓに画像Ｂを記録し、３枚目の媒体Ｓに画像Ｃを記録して、原稿Ｐを複写する。
【００９２】
原稿Ｐの両面を複写する場合、すなわち第３、第４モードで原稿Ｐを複写する場合、複写装置１１は、読取部２９が読み取った原稿Ｐの両面の画像のうち、積載部２２に積載された状態において上を向く面の画像を媒体Ｓに記録した後に、下を向く面の画像を媒体Ｓに記録する。
【００９３】
次に、上記のように構成された複写装置１１の作用について説明する。
複写装置１１は、原稿Ｐを複写する際、読み取った原稿Ｐの画像を記録した媒体Ｓをフェイスアップとなる姿勢で排出トレイ１５に排出する。複写装置１１においては、原稿Ｐを複写する際、その複写された原稿である媒体Ｓを、原稿Ｐのページ順と一致するように排出トレイ１５に積み重ねて排出することが好ましい。本実施形態の複写装置１１において、複写された原稿である媒体Ｓを原稿Ｐのページ順と一致するように排出トレイ１５に積み重ねて排出するためには、原稿Ｐにおいて最終となるページから順に複写する必要がある。
【００９４】
複写装置１１は、積載部２２に積載される原稿Ｐの画像を読み取る際、その最上位に位置する原稿Ｐから順に原稿Ｐの画像を読み取る。積載部２２には、フェイスダウンとなる姿勢で原稿Ｐが積載される。そのため、複写装置１１は、複数枚にわたる原稿Ｐを複写する場合、その原稿Ｐにおいて最終となるページから順に原稿Ｐの画像を読み取ることになる。本実施形態においては、原稿Ｐを複写する際、読み取った順通りに原稿Ｐの画像を媒体Ｓに記録することによって、複写した原稿である媒体Ｓを原稿Ｐのページ順通りに排出トレイ１５に積み重なるように排出される。
【００９５】
仮に、複数枚にわたる原稿Ｐがフェイスアップとなる姿勢で積載部２２に積載される場合を考える。この場合、複写装置１１は、積載部２２に積載される原稿Ｐのうち最上位に位置する原稿Ｐから順に原稿Ｐの画像を読み取るため、原稿Ｐにおいて最初となるページから順に原稿Ｐの画像を読み取ることになる。複写装置１１は、フェイスアップとなる姿勢で媒体Ｓを排出するため、原稿Ｐのページ順と一致するように媒体Ｓを排出トレイ１５に排出するには、原稿Ｐにおいて最終となるページから順に複写する必要がある。そのため、この場合においては、積載部２２に積載されるすべての原稿Ｐの画像を読み取ってから媒体Ｓに記録を開始して複写することになり、原稿Ｐを複写する際のスループットにおいて難がある。
【００９６】
この点、本実施形態の複写装置１１においては、読み取った順通りに原稿Ｐの画像を媒体Ｓに記録することができる。そのため、原稿Ｐを複写する際の処理速度、所謂スループットが向上される。
【００９７】
上記実施形態によれば、以下のような効果を得ることができる。
（１）読取部２９は、原稿Ｐの両面のうち少なくとも原稿Ｐが積載部２２に積載されている状態において下を向く面の画像を読取可能とされている。そのため、例えば、原稿Ｐの片面だけを複写する場合、原稿Ｐは、その複写する側の面が下を向く姿勢、所謂フェイスダウンとなる姿勢で積載部２２に積載される。このとき、積載部２２に積載される原稿Ｐは、最上位の原稿Ｐが最終のページとなり、最下位の原稿Ｐが最初のページとなる。ピックアップローラー（供給部）３３は、積載部２２に積載された原稿Ｐを最上位の原稿Ｐから順に読取部２９に向けて供給する。そのため、読取部２９は、積載部２２に積載された原稿Ｐのうち最終のページとなる原稿Ｐの画像から順に読み取る。
【００９８】
原稿Ｐを複写するべく、記録部５１は、読取部２９が読み取った原稿Ｐの画像を媒体Ｓに記録する。原稿Ｐが複写された媒体Ｓは、記録部５１により最後に記録された面が上を向く姿勢、所謂フェイスアップとなる姿勢で排出される。原稿Ｐが複写された媒体Ｓを原稿Ｐのページ順と一致するように排出するために、原稿Ｐにおいて最終となるページから順に媒体Ｓに複写することが好ましい。
【００９９】
上記実施形態によれば、読取部２９が読み取る原稿Ｐの画像の順に記録部５１がその画像を媒体Ｓに記録することによって、原稿Ｐを複写された媒体Ｓが原稿Ｐのページ順と一致するように排出される。すなわち、原稿Ｐに対する画像の読取と媒体Ｓに対する画像の記録とを並行して実行することができる。したがって、複写する際のスループットを向上できる。
【０１００】
（２）読取部２９は、原稿Ｐの両面のうち原稿Ｐが積載部２２に積載されている状態において下を向く面の画像を読取可能な第１センサー４１と、上を向く面の画像を読取可能な第２センサー４２と、を有する。そのため、第１センサー４１及び第２センサー４２により、原稿Ｐの両面の画像を並行して読み取ることができる。すなわち、読取部２９による原稿Ｐの画像の読取速度を向上できる。
【０１０１】
（３）複写装置１１は、記録部５１により媒体Ｓの両面に記録するべく媒体Ｓが搬送される両面記録経路５６を備える。そのため、複写装置１１は、原稿Ｐを媒体Ｓの両面に複写することができる。
【０１０２】
（４）複写装置１１は、原稿Ｐの両面を複写する場合、記録部５１は、媒体Ｓに対し、読取部２９が読み取った原稿Ｐの両面のうち原稿Ｐが積載部２２に積載されている状態において上を向く面の画像を記録した後に、原稿Ｐの両面のうち原稿Ｐが積載部２２に積載されている状態において下を向く面の画像を記録する。原稿Ｐは、フェイスダウンとなる姿勢で積載部２２に積載される。すなわち、原稿Ｐは、原稿Ｐにおいて後のページとなる面が上を向き、原稿Ｐにおいて先のページとなる面が下を向く姿勢で積載部２２に積載される。そのため、記録部５１は、媒体Ｓに対し、原稿Ｐにおいて後のページとなる面の画像を記録した後に、原稿Ｐにおいて先のページとなる面の画像を記録する。記録部５１は、原稿Ｐのページ順と一致するように、原稿Ｐを媒体Ｓに複写する。上記実施形態によれば、原稿Ｐが複写された媒体Ｓを原稿Ｐのページ順と一致するように排出できる。
【０１０３】
（５）読取部２９は、読み取った原稿Ｐの画像を記録部５１が媒体Ｓに記録することに並行して、次の原稿Ｐの画像を読み取る。上記実施形態によれば、原稿Ｐに対する画像の読取と媒体Ｓに対する画像記録とを並行して実行するため、複写する際のスループットを向上できる。
【０１０４】
なお、上記実施形態は以下のように変更してもよい。以下に示す変更例は、適宜組み合わせてもよい。
・原稿Ｐを複写する際、読取部２９が原稿Ｐにおける画像を読み取る最中に、その原稿Ｐを複写するべくその画像の媒体Ｓへの記録を開始してもよい。すなわち、読取部２９が一の原稿Ｐにおける画像の一部を読み取った段階で、その画像の媒体Ｓへの記録を開始する構成としてもよい。
【０１０５】
上記変更例によれば、以下の効果を得ることができる。
（６）一の原稿Ｐを読み取り終わる前に、その原稿Ｐを複写するべく原稿Ｐにおいて読取済みとなる画像の一部から媒体Ｓへ記録するようにその画像の記録を開始するため、複写する際のスループットを向上できる。
【０１０６】
・読取ユニット１３は、原稿Ｐの両面の画像を読み取るための両面読取経路を有してもよい。両面読取経路は、例えば記録ユニット１２の両面記録経路５６のように、搬送される原稿Ｐの姿勢を上下で反転させる。この場合、第２センサー４２は設けなくともよい。原稿Ｐが両面読取経路を搬送される場合、第１センサー４１は、原稿Ｐの両面の画像を読み取る。
【０１０７】
この変更例において、まず、複写装置１１は、原稿Ｐの両面のうち、積載部２２に積載された状態において下を向く面の画像を第１センサー４１により読み取る。次に、複写装置１１は、その原稿Ｐを両面読取経路へ搬送させ、その姿勢を反転させる。次に、複写装置１１は、その原稿Ｐの両面のうち、積載部２２に積載された状態において上を向く面の画像を第１センサー４１により読み取る。次に、複写装置１１は、第１センサー４１が読み取った原稿Ｐの両面の画像のうち、積載部２２に積載された状態において上を向く面の画像を媒体Ｓに記録する。次に、複写装置１１は、第１センサー４１が読み取った原稿Ｐの両面の画像のうち、積載部２２に積載された状態において下を向く面の画像を媒体Ｓに記録する。なお、媒体Ｓに画像を記録することに並行して、次の原稿Ｐの画像の読取を行ってもよい。この変更例によれば、すべての原稿Ｐの読取を完了してから媒体Ｓに記録を開始する構成と比較して、原稿Ｐの複写に要する時間が短縮される。
【０１０８】
・第１センサー４１は、搬送経路２７において、押さえ板４４よりも供給口３１寄りとなる位置に配置されてもよい。
・読取ユニット１３は、例えば媒体カセット１６のように、供給部として機能するピックアップローラー３３に向けて積載部２２に積載される原稿Ｐを押し付けるように構成されてもよい。
【０１０９】
・積載部２２は、傾斜して延びる構成に限らず、水平に延びる構成でもよい。
・載置部２３は、傾斜して延びる構成に限らず、水平に延びる構成でもよい。
・原稿Ｐを複写する際のモードは、例えばパーソナルコンピューター等の外部の端末を介して選択されてもよい。
【０１１０】
・原稿Ｐ及び媒体Ｓは、用紙に限らない。原稿Ｐ及び媒体Ｓは、例えば、プラスチックフィルム、金属フィルム、布帛等でもよい。原稿Ｐ及び媒体Ｓは、シート状であればよい。
【０１１１】
・複写装置１１は、インク以外の他の液体を用いて媒体Ｓに記録する構成でもよい。
・複写装置１１は、インクなどの液体を用いて媒体Ｓに記録する構成に限らない。複写装置１１は、例えば、トナーなどの粉体を用いて媒体Ｓに記録する構成でもよいし、ゲルなどの流状体を用いて媒体Ｓに記録する構成でもよい。
【符号の説明】
【０１１２】
１１…複写装置、１３…読取ユニット、２１…本体部、２２…積載部、２３…載置部、２４…原稿カバー、２５…原稿台、２６…透明部材、２７…搬送経路、２８…ローラー、２９…読取部、３１…供給口、３２…排出口、３３…ピックアップローラー（供給部）、３４…セパレートローラー、３５…第１送りローラー、３６…ガイドローラー、３７…第２送りローラー、３８…排出ローラー、４１…第１センサー、４２…第２センサー、４３…支持板、４４…押さえ板、４５…キャリッジ、４６…エッジガイド、４７…分離パッド、４８…ホルダー、５１…記録部、５５…排出部、５６…両面記録経路、Ｐ…原稿、Ｓ…媒体。
【図１】
2019029821.tif 000003
【図２】
2019029821.tif 000004
【図３】
2019029821.tif 000005
【図４】
2019029821.tif 000006